【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
物品を吊り下げる際に使用するための固定アセンブリであって、
前記物品への挿入のための挿入構成と、前記挿入構成は、前記物品に挿入される挿入部分を備え、
前記挿入構成を、前記固定アセンブリを細長い吊り下げ部材に接続するように構成されたコネクタに取り付けるための取り付け構成と、を備え、
前記取り付け構成は、前記取り付け構成を前記コネクタに締結するための締結構造をさらに含み、
前記挿入部分と前記取り付け構成のそれぞれは、前記吊り下げ部材が前記固定アセンブリを通して挿入されることを可能にするそれぞれの貫通路を規定し、
前記挿入部分は、その上に雄ねじを有し、そして、
前記挿入構成と前記取り付け構成は、前記取り付け構成を前記挿入構成に接合するための共同接合構造を備える、
固定アセンブリ。
【請求項２】
前記挿入構成は、前記挿入部分上に負荷分散部分をさらに含み、前記負荷分散部分は、前記挿入部分から径方向に外側に伸長する、請求項１に記載の固定アセンブリ。
【請求項３】
前記挿入部分は、ツールを収容するためのツール収容空洞を規定し、前記ツールは、前記挿入構成を前記物品に押し込むように構成され、前記ツール収容空洞は、前記挿入部分中の開口から内側に伸長する、請求項２に記載の固定アセンブリ。
【請求項４】
前記取り付け構成は、前記ツール収容空洞中に収容されることができる誘導部材を備え、前記取り付け構成中の前記通路は、前記誘導部材を通して伸長する、請求項３に記載の固定アセンブリ。
【請求項５】
前記誘導部材は、前記細長い吊下げ部材を前記挿入構成によって規定される前記貫通路に誘導するように構成され、それにより、前記細長い吊下げ部材が前記挿入構成中の前記通路を通して伸長するように、前記細長い吊下げ部材は前記誘導部材を通して構成される、請求項４に記載の固定アセンブリ。
【請求項６】
接合構造は、前記挿入構成の挿入部分上に第１の接合構造を備え、前記接合構造は、前記取り付け構成の前記誘導部材（３０）上に第２の接合構造をさらに含む、請求項４または５に記載の固定アセンブリ。
【請求項７】
前記第１および第２の接合構造は、それぞれ第１および第２の突出部材を備え、前記第１の突出部材は、前記取り付け構成を前記挿入構成に接合するように、前記第２の突出部材を係合する、請求項６に記載の固定アセンブリ。
【請求項８】
前記第１の突出部材の背後で係合する前記第２の突出部材により、前記取り付け構成は、前記挿入構成に接合される、請求項７に記載の固定アセンブリ。
【請求項９】
前記第１および第２の突出部材のうちの一方は、前記挿入構成または前記取り付け構成によって規定される収容構造に渡って伸長し、前記第１および第２の突出部材のうちの他方は、前記収容構造中に収容されるように外側に伸長する、請求項７または８に記載の固定アセンブリ。
【請求項１０】
前記第１の突出部材は、前記挿入構成の前記ツール収容空洞に渡って伸長し、前記第２の突出部材は、前記取り付け構成の前記誘導部材から外側に伸長する、請求項７、８または９に記載の固定アセンブリ。
【請求項１１】
前記第１の突出部材は、前記ツール収容空洞を突出する突出部材の形態であり、前記第２の接合構造は、前記ツール収容空洞中に配置され、それにより、前記取り付け構成をねじることは、前記挿入構成の前記取り付け構成への接合に影響を及ぼす、請求項７から１０のうちのいずれか１項に記載の固定アセンブリ。
【請求項１２】
前記取り付け構成は、前記第２の接合構造が前記空洞中に収容されるとき、前記負荷分散部分を係合するための係合構造を含む、請求項７から１１のうちのいずれか１項に記載の固定アセンブリ。
【請求項１３】
前記負荷分散部分は前記挿入部分から径方向に外側に伸長する第１のフランジを備え、
前記係合構造は、第２のフランジを備える、請求項１２に記載の固定アセンブリ。
【請求項１４】
間隙は、前記第２の接合構造と前記係合構造との間に規定され、前記取り付け構成は、前記第２の接合構造と前記係合構造との間の前記間隙中に収容される前記第１の接合構造によって前記挿入構成に接合される、請求項１２または１３に記載の固定アセンブリ。
【請求項１５】
前記第１の接合構造は、前記ツール収容空洞に渡って互いに対向して構成されている１組の前記第１の突出部材を備え、そして、前記第２の接合構造は、前記誘導部材から互いに対抗して伸長する１組の前記第２の突出部材を備える、請求項７から１４のうちのいずれか１項に記載の固定アセンブリ。
【手続補正２】
【補正対象書類名】明細書
【補正対象項目名】００６２
【補正方法】変更
【補正の内容】
【００６２】
本発明の範囲から逸脱することなく、さまざまな修正を行うことができる。
例えば、固定アセンブリ１０とともに使用されることができる他の物品が存在し、これらは、固定アセンブリ１０によって吊り下げられることができる。このような物品は、挿入部分２０をねじ止めできる素材で形成される、または、そこに事前に形成された適切なねじ切りされた穴を有するのいずれかであることができる。
以下に、出願当初の特許請求の範囲に記載の事項を、そのまま、付記しておく。
［１］  物品を吊り下げる際に使用するための固定アセンブリであって、
前記物品への挿入のための挿入構成と、
前記挿入構成をコネクタに取り付けるための取り付け構成とを備え、
前記コネクタは、前記固定アセンブリを細長い吊り下げ部材に接続するように構成され、
前記挿入構成と前記取り付け構成のそれぞれは、前記吊り下げ部材が前記固定アセンブリを通して挿入されることを可能にするそれぞれの貫通路を規定する、固定アセンブリ。
［２］  前記挿入構成を通して伸長する前記通路は、前記取り付け構成を通して伸長する前記通路と実質的に同軸上に並ぶ、［１］に記載の固定アセンブリ。
［３］  前記挿入構成は、前記物品に挿入される挿入部分を備える、［１］または［２］に記載の固定アセンブリ。
［４］  前記挿入部分は、その上にねじ山を有する、［３］に記載の固定アセンブリ。
［５］  前記挿入構成は、前記挿入部分上に負荷分散部分をさらに含み、前記負荷分散部分は、前記挿入部分から径方向に外側に伸長する、［４］に記載の固定アセンブリ。
［６］  前記挿入部分は円錐形であり、前記挿入部分上の前記ねじ山は円錐形であり、それにより、前記挿入構成は、前記物品にねじ止めされることができる、［５］に記載の固定アセンブリ。
［７］  前記負荷分散部分は、前記挿入部分から径方向に外側に伸長する第１のフランジを備える、［５］または［６］に記載の固定アセンブリ。
［８］  前記挿入部分は、ツールを収容するためのツール収容空洞を規定し、前記ツールは、前記挿入構成を前記物品に押し込むように構成され、前記ツール収容空洞は、前記挿入部分中の開口から内側に伸長する、［５］、［６］または［７］に記載の固定アセンブリ。
［９］  前記ツール収容空洞は、前記挿入構成を前記物品に押し込むために使用されることができるキーを収容するための多角形のソケットを含む、［８］に記載の固定アセンブリ。
［１０］  前記挿入構成と前記取り付け構成は、前記取り付け構成を前記挿入構成に接合するための共同接合構造を備える、［８］または［９］に記載の固定アセンブリ。
［１１］  前記取り付け構成は、前記ツール収容空洞中に収容されることができる誘導部材を備え、前記取り付け構成中の前記通路は、前記誘導部材を通して伸長する、［１０］に記載の固定アセンブリ。
［１２］  前記誘導部材は、前記細長い吊下げ部材を前記挿入構成によって規定される前記貫通路に誘導するように構成され、それにより、前記細長い吊下げ部材が前記挿入構成中の前記通路を通して伸長するように、前記細長い吊下げ部材は前記誘導部材を通して構成される、［１１］に記載の固定アセンブリ。
［１３］  接合構造は、前記挿入構成の挿入部分上に第１の接合構造を備え、前記接合構造は、前記取り付け構成の前記誘導部材上に第２の接合構造をさらに含む、［１０］、［１１］または［１２］に記載の固定アセンブリ。
［１４］  前記第１および第２の接合構造は、それぞれ第１および第２の突出部材を備え、前記第１の突出部材は、前記取り付け構成を前記挿入構成に接合するように、前記第２の突出部材を係合する、［１３］に記載の固定アセンブリ。
［１５］  前記第１の突出部材の背後で係合する前記第２の突出部材により、前記取り付け構成は、前記挿入構成に接合される、［１４］に記載の固定アセンブリ。
［１６］  前記第１および第２の突出部材のうちの一方は、前記挿入構成または前記取り付け構成によって規定される収容構造に渡って伸長し、前記第１および第２の突出部材のうちの他方は、前記収容構造中に収容されるように外側に伸長する、［１４］または［１５］に記載の固定アセンブリ。
［１７］  前記第１の突出部材は、前記挿入構成の前記ツール収容空洞に渡って伸長し、前記第２の突出部材は、前記取り付け構成の前記誘導部材から外側に伸長する、［１４］、［１５］または［１６］に記載の固定アセンブリ。
［１８］  前記第１の突出部材は、前記ツール収容空洞を突出する突出部材の形態であり、前記第２の接合構造は、前記ツール収容空洞中に配置されてもよく、それにより、前記取り付け構成をねじることは、前記挿入構成の前記取り付け構成への接合に影響を及ぼす、［１４］から［１７］のうちのいずれか１項に記載の固定アセンブリ。
［１９］  前記取り付け構成は、前記第２の接合構造が前記空洞中に収容されるとき、前記負荷分散部分を係合するための係合構造を含む、［１４］から［１８］のうちのいずれか１項に記載の固定アセンブリ。
［２０］  前記係合構造は、第２のフランジを備える、［１９］に記載の固定アセンブリ。
［２１］  前記係合構造と負荷分散構造は、前記取り付け構成と前記挿入構成が互いに接合するとき、これらを互いにロックするための共同ロック構造を含む、［１９］または［２０］に記載の固定アセンブリ。
［２２］  前記ロック構造は、前記負荷分散構造と前記係合構造を互いにロックするように互いに共同できる、傾斜くぼみと傾斜隆起を備える、［２１］に記載の固定アセンブリ。
［２３］  前記ロック構造は、１組の傾斜くぼみと、１組の傾斜隆起を備える、［２２］に記載の固定アセンブリ。
［２４］  間隙は、前記第２の接合構造と前記係合構造との間に規定され、前記取り付け構成は、前記第２の接合構造と前記係合構造との間の前記間隙中に収容される前記第１の接合構造によって前記挿入構成に接合される、［１９］から［２３］のうちのいずれか１項に記載の固定アセンブリ。
［２５］  前記第１の接合構造は、前記ツール収容空洞に渡って互いに対向して構成されている１組の前記第１の突出部材を備えていてもよい、［１４］から［２４］のうちのいずれか１項に記載の固定アセンブリ。
［２６］  前記第２の接合構造は、前記誘導部材から互いに対抗して伸長する１組の前記第２の突出部材を備える、［１４］から［２５］のうちのいずれか１項に記載の固定アセンブリ。
［２７］  前記取り付け構成は、前記取り付け構成を前記コネクタに締結するための締結構造をさらに含む、［１］から［２６］のうちのいずれか１項に記載の固定アセンブリ。
［２８］  前記締結構造はねじ切りされ、一方を他方にねじ止めすることにより、前記コネクタと前記取り付け構成が互いに締結されることができる、［２７］に記載の固定アセンブリ。
［２９］  前記締結構造は、ねじ切りされた突起を含み、それにより、前記ねじ切りされた突起は、前記締結構造を前記コネクタに締結するように前記コネクタ中のねじ穴にねじ止めされることができる、［２８］に記載の固定アセンブリ。
［３０］  物品への挿入のための挿入部分と挿入構成を取り付け構成に接合するための共同接合構造とを備える前記挿入構成であって、前記挿入部分は、吊下げ部材が貫通路を通して挿入されることを可能にする前記貫通路を規定する、挿入構成。
［３１］  前記挿入部分は、その上にねじ山を有する、［３０］に記載の挿入構成。
［３２］  前記挿入構成は、前記挿入部分上に負荷分散部分をさらに含み、前記負荷分散部分は、前記挿入部分から径方向に外側に伸長する、［３１］に記載の挿入構成。
［３３］  前記挿入部分は円錐形であり、前記挿入部分上の前記ねじ山は円錐形であり、それにより、前記挿入構成は、前記物品にねじ止めされることができる、［３２］に記載の挿入構成。
［３４］  前記負荷分散部分は、前記挿入部分から径方向に外側に伸長する第１のフランジを備える、［３２］または［３３］に記載の挿入構成。
［３５］  前記挿入部分は、ツールを収容するためのツール収容空洞を規定し、前記ツールは、前記挿入構成を前記物品に押し込むように構成され、前記ツール収容空洞は、前記挿入部分中の開口から内側に伸長する、［３２］、［３３］または［３４］に記載の挿入構成。
［３６］  前記ツール収容空洞は、前記挿入構成を前記物品に押し込むために使用されることができるキーを収容するための多角形のソケットを含む、［３５］に記載の挿入構成。
［３７］  前記取り付け構成の第２の接合構造と共同し、前記取り付け構成を前記挿入構成に接合するように、前記挿入部分上に第１の接合構造を備える、［３４］、［３５］または［３６］に記載の挿入構成。
［３８］  前記第１の接合構造は、第１の突出部材を備える、［３７］に記載の挿入構成。
［３９］  前記第１の突出部材は、前記挿入構成の前記ツール収容空洞に渡って伸長し、第２の突出部材は、前記取り付け構成の誘導部材から外側に伸長する、［３８］に記載の挿入構成。
［４０］  前記第１の突出部材は、前記ツール収容空洞を突出する突出部材の形態である、［３８］または［３９］に記載の挿入構成。
［４１］  挿入構成を細長い吊り下げ部材に取り付けるための取り付け構成であって、
前記取り付け構成を挿入構成に接合するための共同接合構造を備え、
前記取り付け構成は、前記吊り下げ部材が貫通路を通して挿入されることを可能にする前記貫通路を規定する、取り付け構成。
［４２］  前記挿入構成によって収容されることができる誘導部材を備え、前記取り付け構成中の前記通路は、前記誘導部材を通して伸長する、［４１］に記載の取り付け構成。
［４３］  前記誘導部材は、前記細長い吊下げ部材を前記挿入構成によって規定される前記貫通路に誘導するように構成され、それにより、前記細長い吊下げ部材が前記挿入構成中の前記通路を通して伸長するように、前記細長い吊下げ部材は前記誘導部材を通して構成される、［４２］に記載の取り付け構成。
［４４］  前記挿入構成の第１の接合構造と共同し、前記取り付け構成を前記挿入構成に接合するために、前記誘導部材上に第２の接合構造を備える、［４１］、［４２］または［４３］に記載の取り付け構成。
［４５］  前記第１および第２の接合構造は、それぞれ第１および第２の突出部材を備え、前記第１の突出部材は、前記取り付け構成を前記挿入構成に接合するように、前記第２の突出部材を係合する、［４４］に記載の取り付け構成。
［４６］  前記第１の突出部材の背後で係合する前記第２の突出部材により、前記取り付け構成は、前記挿入構成に接合される、［４５］に記載の取り付け構成。
［４７］  前記第１および第２の突出部材のうちの一方は、前記挿入構成または前記取り付け構成によって規定される収容構造に渡って伸長し、前記第１および第２の突出部材のうちの他方は、前記収容構造中に収容されるように外側に伸長する、［４５］または［４６］に記載の取り付け構成。
［４８］  前記第１の突出部材は、前記挿入構成のツール収容空洞に渡って伸長し、前記第２の突出部材は、前記取り付け構成の前記誘導部材から外側に伸長する、［４５］、［４６］または［４７］に記載の取り付け構成。
［４９］  前記第１の突出部材は、前記ツール収容空洞を突出する突出部材の形態であり、前記第２の接合構造は、前記ツール収容空洞中に配置されてもよく、それにより、前記取り付け構成をねじることは、前記挿入構成の前記取り付け構成への接合に影響を及ぼす、［４５］から［４８］のうちのいずれか１項に記載の取り付け構成。
［５０］  前記取り付け構成は、前記第２の接合構造が前記空洞中に収容されるとき、負荷分散部分を係合するための係合構造を含む、［４５］から［４９］のうちのいずれか１項に記載の取り付け構成。
［５１］  前記係合構造は、第２のフランジを備える、［５０］に記載の取り付け構成。
［５２］  前記係合構造と負荷分散構造は、前記取り付け構成と前記挿入構成が互いに接合するとき、これらを互いにロックするための共同ロック構造を含む、［５０］または［５１］に記載の取り付け構成。
［５３］  前記ロック構造は、前記負荷分散構造と前記係合構造を互いにロックするように互いに共同できる、傾斜くぼみと傾斜隆起を備える、［５２］に記載の取り付け構成。
［５４］  前記ロック構造は、１組の傾斜くぼみと、１組の傾斜隆起を備える、［５３］に記載の取り付け構成。
［５５］  間隙は、前記第２の接合構造と前記係合構造との間に規定され、前記取り付け構成は、前記第２の接合構造と前記係合構造との間の前記間隙中に収容される前記第１の接合構造によって前記挿入構成に接合される、［５０］から［５４］のうちのいずれか１項に記載の取り付け構成。
［５６］  前記第１の接合構造は、前記ツール収容空洞に渡って互いに対向して構成されている１組の前記第１の突出部材を備えていてもよい、［４５］から［５５］のうちのいずれか１項に記載の取り付け構成。
［５７］  前記第２の接合構造は、前記誘導部材から互いに対抗して伸長する１組の前記第２の突出部材を備える、［４５］から［５５］のうちのいずれか１項に記載の取り付け構成。
［５８］  前記取り付け構成は、前記取り付け構成をコネクタに締結するための締結構造をさらに含む、［４５］から［５７］のうちのいずれか１項に記載の取り付け構成。
［５９］  前記締結構造はねじ切りされ、一方を他方にねじ止めすることにより、前記コネクタと前記取り付け構成が互いに締結されることができる、［５８］に記載の取り付け構成。
［６０］  前記締結構造は、ねじ切りされた突起を含み、それにより、前記ねじ切りされた突起は、前記締結構造を前記コネクタに締結するように前記コネクタ中のねじ穴にねじ止めされることができる、［５９］に記載の取り付け構成。
［６１］  前記取り付け構成は、前記ツール収容空洞中に収容されることができる誘導部材を備え、前記取り付け構成中の前記通路は、前記誘導部材を通して伸長する、［６０］に記載の取り付け構成。
［６２］  前記誘導部材は、前記細長い吊下げ部材を前記挿入構成によって規定される前記貫通路に誘導するように構成される、［６１］に記載の取り付け構成。
［６３］  接合構造は、前記取り付け構成を前記挿入構成に接合するために、前記取り付け構成の前記誘導部材上に設けられる、［６２］に記載の取り付け構成。
［６４］  前記接合構造は、突出部材を備え、前記突出部材は、前記挿入構成の対応する突出部材を係合し、前記取り付け構成を前記挿入構成に接合する、［６３］に記載の取り付け構成。
［６５］  前記突出部材は、前記誘導部材から外側に伸長する、［６４］に記載の取り付け構成。
［６６］  前記取り付け構成は、前記第２の接合構造が前記空洞中に収容されるとき、前記負荷分散部分を係合するための係合構造を含む、［６４］または［６５］に記載の取り付け構成。
［６７］  前記係合構造は、第２のフランジを備える、［６６］に記載の取り付け構成。
［６８］  前記係合構造は、前記取り付け構成と前記挿入構成が互いに接合するとき、これらを互いにロックするための共同ロック構造を含む、［６６］または［６７］に記載の取り付け構成。
［６９］  前記ロック構造は、傾斜くぼみと傾斜隆起のうちの一方を備え、これは、前記負荷分散構造と前記係合構造を互いにロックするように前記傾斜くぼみと前記傾斜隆起のうちの他方と共同できる、［６８］に記載の取り付け構成。
［７０］  間隙は、前記接合構造と前記係合構造との間に規定される、［６９］に記載の取り付け構成。
［７１］  前記接合構造は、前記誘導部材から互いに対抗して伸長する１組の前記第１の突出部材を備える、［６４］から［７０］のうちのいずれか１項に記載の取り付け構成。
［７２］  前記取り付け構成は、前記取り付け構成を前記コネクタに締結するための締結構造をさらに含む、請求５８から７１のうちのいずれか１項に記載の取り付け構成。
［７３］  前記締結構造はねじ切りされ、一方を他方にねじ止めすることにより、前記コネクタと前記取り付け構成が互いに締結されることができる、［７２］に記載の取り付け構成。
［７４］  前記締結構造は、ねじ切りされた突起を含み、前記ねじ切りされた突起は、前記締結構造を前記コネクタに締結するように前記コネクタ中のねじ穴にねじ止めされることができる、［７３］に記載の取り付け構成。
［７５］  ［１］に記載の固定アセンブリを使用する方法であって、
挿入構成を物品に挿入することと、
前記コネクタを前記細長い吊下げ部材に接続することを備える、方法。
［７６］  前記挿入構成と前記取り付け構成中の通路を通して、および前記物品を通して、前記細長い吊下げ部材をさらなる固定アセンブリとさらなる物品に配置することをさらに含む、［７５］に記載の方法。
［７７］  前記挿入構成が前記物品に挿入されるとき、前記物品中に穴を形成するステップをさらに含み、前記穴を形成するステップは、前記挿入構成中の前記通路を通して、および、前記物品を通して、穿孔ツールを押すことを備える、［７６］に記載の方法。
［７８］  前記挿入構成は、ねじ切りされた挿入部分を備え、前記方法は、前記挿入構成を前記物品にねじ止めすることを備える、［７７］に記載の方法。
［７９］  前記挿入部分は、ツールを収容するためのツール収容空洞を規定し、前記方法は、前記挿入構成を前記物品に挿入することと、ツールを前記ツール収容空洞に挿入することと、前記挿入構成を前記物品にさらに押し込むように前記ツールを回転させることとを備える、［７７］に記載の方法。
［８０］  前記取り付け構成は、前記ツール収容空洞中に収容されることができる誘導部材を備え、
前記誘導部材は、前記細長い吊下げ部材を前記挿入構成によって規定される前記貫通路に誘導するように構成されてもよく、
方法は、前記細長い吊下げ部材が前記挿入構成中の前記通路を通して伸長するように、前記誘導部材を通して前記細長い吊下げ部材を構成することを備える、［７９］に記載の方法。
［８１］  前記挿入構成と前記取り付け構成は、前記取り付け構成を前記挿入構成に接合するための共同接合構造を備え、
前記方法は、
前記ツール収容空洞中に第２の接合構造を配置することと、
前記挿入構成の前記取り付け構成への接合に影響を及ぼすように、前記取り付け構成をねじることとを備える、［７９］または［８０］に記載の方法。
［８２］  前記取り付け構成は、前記取り付け構成を前記コネクタに締結するための締結構造をさらに含み、
前記方法は、
一方を他方にねじ止めすることにより、前記取り付け構成と前記コネクタを互いに締結することを備える、［７５］から［８１］のうちのいずれか１項に記載の方法。
［８３］  前記締結構造は、ねじ切りされた突起を含み、
前記方法は、前記締結構造を前記コネクタに締結するように、前記突起を前記コネクタ中のねじ穴にねじ止めすることを備える、［８２］に記載の方法。